(57)【要約】【課題】積もった雪を小さな電源を用いて効果的に除去することができる、融雪機能付き太陽光発電システムを提供する。【解決手段】太陽電池アレイのストリングス１を構成している複数の太陽電池モジュール２ａ，２ｂ…のうちの例えば一つの太陽電池モジュール２ａを先行融雪太陽電池モジュールとし、該先行融雪太陽電池モジュール２ａを前記ストリングス１に接続した第１状態と、該ストリングス１から切り離して融雪用の電源３に接続した第２状態とに選択的に切り換えるスイッチ４，４が備えられている。【選択図】      図１
2006210737.tif 000002
【特許請求の範囲】
【請求項１】
太陽電池アレイのストリングスを構成している複数の太陽電池モジュールのうちの一部の太陽電池モジュールを先行融雪太陽電池モジュールとし、
該先行融雪太陽電池モジュールを前記ストリングスに接続した第１状態と、該ストリングスから切り離して融雪用の電源に接続した第２状態とに選択的に切り換える切換え手段が備えられていることを特徴とする融雪機能付き太陽光発電システム。
【請求項２】
前記第２状態において、先行融雪太陽電池モジュールの発電開始によって融雪用電源による電流が低下ないしは停止状態になったとき、切換え手段を第１の状態に切り換える制御手段が備えられている請求項１に記載の融雪機能付き太陽光発電システム。
【発明の詳細な説明】
【技術分野】
【０００１】
本発明は、融雪機能付き太陽光発電システムに関する。
【背景技術】
【０００２】
融雪機能付き太陽光発電システムとして、太陽電池アレイのストリングスを構成するすべての太陽電池モジュールに通電をして発熱させ、その熱で、各太陽電池モジュール上に積もった雪を融かして除去するものは、従来より提供されている。
【特許文献１】特開２００４−２９６５４７号公報
【発明の開示】
【発明が解決しようとする課題】
【０００３】
しかしながら、上記のシステムは、積もった雪を除去するに際し、ストリングスを構成するすべての太陽電池モジュールに通電をして発熱させるものであるため、大きな電源が必要であるという問題がある。
【０００４】
本発明は、上記のような問題点に鑑み、積もった雪を小さな電源を用いて効果的に除去することができる、融雪機能付き太陽光発電システムを提供することを課題とする。
【課題を解決するための手段】
【０００５】
上記の課題は、太陽電池アレイのストリングスを構成している複数の太陽電池モジュールのうちの一部の太陽電池モジュールを先行融雪太陽電池モジュールとし、
該先行融雪太陽電池モジュールを前記ストリングスに接続した第１状態と、該ストリングスから切り離して融雪用の電源に接続した第２状態とに選択的に切り換える切換え手段が備えられていることを特徴とする融雪機能付き太陽光発電システムによって解決される。
【０００６】
このシステムでは、ストリングスを構成するすべての太陽電池モジュールに雪が積もっている状態において、切換え手段により、接続状態を第２状態にすると、先行融雪太陽電池モジュールに電流が流れて発熱し、その熱で同モジュールに積もっている雪が除去され、同モジュールは、太陽光を受けることができるようになって発電を始める。その状態で、接続状態を第１状態に切り換える、即ち電源を切った状態にすると、先行融雪太陽電池モジュールの上記発電によって、残る太陽電池モジュールに電流が流れて発熱をし、その熱によって残る太陽電池モジュールに積もっている雪も除去され、こうしてストリングスを構成するすべての太陽電池モジュールに積もっていた雪が除去される。
【０００７】
このように、上記のシステムによれば、ストリングスを構成している複数の太陽電池モジュールのうちの一部の太陽電池モジュールを発熱させることのできる小さな電源を用いて、すべての太陽電池モジュールに積もった雪を効果的に除去することができる。
【０００８】
上記のシステムにおいて、第２状態において、先行融雪太陽電池モジュールの発電開始によって融雪用電源による電流が低下ないしは停止状態になったとき、切換え手段を第１の状態に切り換える制御手段が備えられている場合は、第２状態から第１状態への適時の切換えを容易かつ確実なものにすることができる。
【発明の効果】
【０００９】
本発明は、以上のとおりのものであるから、積もった雪を小さな電源を用いて効果的に除去することができる。
【発明を実施するための最良の形態】
【００１０】
実施形態の融雪機能付き太陽光発電システムは、図１に示すように、結晶系の複数の太陽電池モジュール２ａ，２ｂ…で構成されるストリングス１において、そのうちの一つの太陽電池モジュール２ａを先行融雪太陽電池モジュールとし、融雪用の電源３が備えられ、切換え手段としてのスイッチ４，４によって、先行融雪太陽電池モジュール２ａをストリングス１に接続した第１状態と、ストリングス１から切り離して融雪用の電源３に接続した第２状態とに選択的に切り換えることができるようになされている。
【００１１】
上記のシステムでは、図２（イ）に示すように、先行融雪太陽電池モジュール２ａがストリングス１に接続されている発電可能な第１状態において、ストリングス１を構成するすべての太陽電池モジュール２ａ，２ｂ…に雪５が積もって太陽光による発電が雪５…によって妨げられてしまっている場合に、図２（ロ）に示すように、スイッチ４，４によって、先行融雪太陽電池モジュール２ａをストリングス１から切り離して融雪用の電源３に接続した第２状態に切り換える。
【００１２】
すると、先行融雪太陽電池モジュール２ａに電流が流れて発熱し、その熱で同モジュール２ａに積もっている雪が、図２（ハ）に示すように、除去され、その結果、同モジュール２ａは、例えば晴れた昼間であれば、太陽光を受けて、発電を始める。その状態で、接続状態を、図３（ニ）に示すように、第１状態に戻す。
【００１３】
本実施形態では、上記の第２状態において、先行融雪太陽電池モジュール２ａの発電開始によって融雪用電源３による電流が低下ないしは停止状態になったのを感知して、スイッチ４，４を切り換え、先行融雪太陽電池モジュール２ａがストリングス１に接続された第１状態に戻す制御を行う図示しない制御手段が備えられており、第２状態から第１状態への適時の切換えを容易かつ確実に行うことができるようになされている。
【００１４】
こうして第１状態に切り換えられると、先行融雪太陽電池モジュール２ａの上記発電によって、残る太陽電池モジュール２ｂ…に電流が流れて発熱を起こし、その熱によって、図３（ホ）に示すように、残る太陽電池モジュール２ｂ…に積もっている雪も除去され、ストリングス１を構成しているすべての太陽電池モジュール２ａ，２ｂ…に積もっていた雪５が除去されて、すべての太陽電池モジュール２ａ，２ｂ…が太陽光発電を行うようになる。
【００１５】
このように、上記のシステムによれば、ストリングス１を構成している複数の太陽電池モジュール２ａ，２ｂ…のうちの一つ２ａを発熱させることのできる小さな電源３を用いて、すべての太陽電池モジュール２ａ，２ｂ…に積もった雪を効果的に除去することができる。
【００１６】
以上に、本発明の実施形態を示したが、本発明はこれに限られるものではなく、発明思想を逸脱しない範囲で各種の変更が可能である。例えば、上記の実施形態では、一つのストリングス１において、それを構成する一つの太陽電池モジュール２ａを先行融雪太陽電池モジュールとした場合を示しているが、複数の太陽電池モジュールを先行融雪太陽電池モジュールとしてもよい。また、融雪用の電源は、商用電源であってもよいし、太陽光発電で発電した電気を蓄電した蓄電池であってもよいし、種々の電源であってよい。また、先行融雪太陽電池モジュールでの除雪後の第１状態への切換えの制御は、自動、手動の各種方法で行われてよいし、自動で行われる場合の切換え時点は、各種センサーやタイマーなどで決められてよい。
【図面の簡単な説明】
【００１７】
【図１】実施形態の融雪機能付き太陽光発電システムを示す説明図である。
【図２】図（イ）〜図（ハ）は、図３（ニ）（ホ）と共に、システムにおける融雪方法を順次に示す説明図である。
【図３】図（ニ）及び図（ホ）は、図２（イ）〜（ハ）と共に、システムにおける融雪方法を順次に示す説明図である。
【符号の説明】
【００１８】
１…ストリングス
２ａ…先行融雪太陽電池モジュール（太陽電池モジュール）
２ｂ…太陽電池モジュール
３…融雪用電源
４…スイッチ（切換え手段）
【図１】
2006210737.tif 000003
【図２】
2006210737.tif 000004
【図３】
2006210737.tif 000005